(57)【要約】    【課題】  組み立て作業が容易であり、分解状態で効率的に運搬して設置現場において組み立てを行うのにも適するベンチ等の支持装置の提供。    【解決手段】  脚部Ａの支承部Ａ１が横架状材Ｂの下半部に嵌合して横架状材Ｂを支承する。脚用固定体Ｃの水平状部Ｃ１に有する嵌合凹部Ｃ３が脚部Ａの上側で横架状材Ｂの上半部に外嵌する。脚用固定体Ｃと脚部Ａを、横架状材Ｂの前方位置及び後方位置でボルトＴにより締結する。ボルトＴの頭部Ｔ１は、脚用固定体Ｃの連結用孔部Ｃ４の上端よりもやや下方に収まり、脚用固定体Ｃの上側から操作し得る。非脚用固定体Ｄと保持体Ｅも同様に横架状材Ｂに外嵌した状態でボルトＴにより締結されている。脚用固定体Ｃ及び非脚用固定体Ｄ上に固定した座部支持部Ｓによって、ボルトＴの頭部Ｔ１を操作して締結解除を行うことができない状態となっている。【選択図】      図１
2018139796.tif 000002
【特許請求の範囲】
【請求項１】
１又は２以上の脚部と、横架状材と、１又は２以上の脚用固定体を備えてなる支持装置であって、
前記脚部は、前記横架状材の所要箇所を上向きに支承し得る支承部を上側に有し、
前記脚部の支承部に前記横架状材の所要箇所が支承され、その所要箇所の上側部に前記脚用固定体が位置し、その脚用固定体が締結体により前記脚部と締結されることによって、前記横架状材は前記脚部と脚用固定体により保持されており、
前記締結体は締結操作用端部を有し、その締結体による脚用固定体と脚部の締結は、締結操作用端部が前記脚用固定体の上側から操作され得る状態で行われていることを特徴とする支持装置。
【請求項２】
上記脚用固定体の何れか１以上が、その上側に別の被支持部材を支持しており、その被支持部材によって、上記締結体の締結操作用端部を操作して締結解除を行うことができない状態となっている請求項１記載の支持装置。
【請求項３】
１又は２以上の非脚用固定体と、１又は２以上の保持体を有し、
上記横架状材のうち上記脚部が位置する箇所以外の所要箇所の上側部に前記非脚用固定体が位置し、前記所要箇所の下側に保持体が位置し、前記非脚用固定体が締結体により前記保持体と締結されることによって、前記横架状材に対し前記非脚用固定体と保持体が保持されており、
前記締結体は締結操作用端部を有し、その締結体による前記非脚用固定体と保持体の締結は、締結操作用端部が前記非脚用固定体の上側から操作され得る状態で行われている請求項１又は２記載の支持装置。
【請求項４】
上記非脚用固定体の何れか１以上が、その上側に別の被支持部材を支持しており、その被支持部材によって、上記締結体の締結操作用端部を操作して締結解除を行うことができない状態となっている請求項３記載の支持装置。
【請求項５】
横架状材が、一定の水平方向の直線に沿うものである請求項１乃至４の何れか１項に記載の支持装置。
【請求項６】
ベンチを構成する請求項１乃至５の何れか１項に記載の支持装置。
【発明の詳細な説明】
【技術分野】
【０００１】
本発明は、座部やその他の部材を支持するベンチ等の支持装置に関する。
【背景技術】
【０００２】
特開２００５−２３０２４７号公報には、駅のプラットホーム等に設置されるベンチに関する発明として、左右の座支持ブラケット(５)により支持フレーム(８)(８)を支持し、その支持フレーム(８)(８)を介して座本体(10a)を支持するものが開示されている。
【０００３】
このベンチにおいては、左右の座支持ブラケット(５)の前端部上面に形成された凹入部(７)に、左右方向を向き、かつ両端が閉塞された前後２本の金属製パイプよりなる支持フレーム(８)(８)の両端部が、ブラケット(５)の前端部下方より挿入したボルト（図示略）により固定され（段落００２２）、
側部フレーム(11)における座支持部(11a)の中央部下面には、下面に、前後の支持フレーム(８)における両端部の上半部に上方より嵌合する上向き半円状の保持溝(14)(14)を有する受け部材(15)が固着され、その下方の固定部材(16)の上面に形成された下向き半円状の保持溝(17)(17)を、前後の支持フレーム(８)の下半部に嵌合し、固定部材(16)の下方より挿入したボルト(18)の上端部を、受け部材(15)の中央部のめねじ孔（図示略）に螺合することにより、左右の側部フレーム(11)は、前後の支持フレーム(８)の両端部に固定されている（段落００２４）。
【０００４】
従って、このベンチを組み立てるには、
座支持ブラケット(５)に対し、支持フレーム(８)(８)の両端部が、ブラケット(５)の前端部下方より挿入したボルトにより固定されることと、
固定部材(16)の下方より挿入したボルト(18)の上端部を、受け部材(15)の中央部のめねじ孔に螺合することにより、左右の側部フレーム(11)が、前後の支持フレーム(８)の両端部に固定されること
が必要であり、特に駅のプラットホーム等の設置現場において組み立てを行う上で作業効率に課題があった。
【先行技術文献】
【特許文献】
【０００５】
【特許文献１】特開２００５−２３０２４７号公報
【発明の概要】
【発明が解決しようとする課題】
【０００６】
本発明は、組み立て作業が容易であり、分解状態で効率的に運搬して設置現場において組み立てを行うのにも適するベンチ等の支持装置を提供することを目的とする。
【課題を解決するための手段】
【０００７】
本発明の支持装置は、次のように表すことができる。
【０００８】
(1) １又は２以上の脚部と、横架状材と、１又は２以上の脚用固定体を備えてなる支持装置であって、
前記脚部は、前記横架状材の所要箇所を上向きに支承し得る支承部を上側に有し、
前記脚部の支承部に前記横架状材の所要箇所が支承され、その所要箇所の上側部に前記脚用固定体が位置し、その脚用固定体が締結体により前記脚部と締結されることによって、前記横架状材は前記脚部と脚用固定体により保持されており、
前記締結体は締結操作用端部を有し、その締結体による脚用固定体と脚部の締結は、締結操作用端部が前記脚用固定体の上側から操作され得る状態で行われていることを特徴とする支持装置。
【０００９】
脚部の支承部に横架状材の所要箇所が支承され、その所要箇所の上側部に前記脚用固定体が位置しており、その脚用固定体が脚部と締結体により締結されることによって、横架状材は脚部と脚用固定体により保持されている。
【００１０】
締結体は締結操作用端部を有し、その締結体による脚用固定体と脚部の締結は、締結操作用端部が前記脚用固定体の上側から操作され得る状態で行われているので、組み立て作業が、たとえ設置現場における作業であっても容易である。
【００１１】
(2) 上記脚用固定体の何れか１以上が、その上側に別の被支持部材を支持しており、その被支持部材によって、上記締結体の締結操作用端部を操作して締結解除を行うことができない状態となっている上記(1)記載の支持装置。
【００１２】
何れかの脚用固定体が、その上側に別の被支持部材を支持しており、その被支持部材によって、締結体の締結操作用端部を操作して締結解除を行うことができない状態となっているため、支持装置としての構造を維持する上で最も重要である脚部と脚用固定体の締結が悪戯等の故意に又は何らかの原因により解除されることが効果的に防がれる。
【００１３】
(3) １又は２以上の非脚用固定体と、１又は２以上の保持体を有し、
上記横架状材のうち上記脚部が位置する箇所以外の所要箇所の上側部に前記非脚用固定体が位置し、前記所要箇所の下側に保持体が位置し、前記非脚用固定体が締結体により前記保持体と締結されることによって、前記横架状材に対し前記非脚用固定体と保持体が保持されており、
前記締結体は締結操作用端部を有し、その締結体による前記非脚用固定体と保持体の締結は、締結操作用端部が前記非脚用固定体の上側から操作され得る状態で行われている上記(1)又は(2)記載の支持装置。
【００１４】
横架状材のうち脚部が位置する箇所以外の所要箇所の上側部に非脚用固定体が位置し、前記所要箇所の下側に保持体が位置し、前記非脚用固定体が前記保持体と締結体により締結されることによって、前記横架状材に対し前記非脚用固定体と保持体が保持されている。
【００１５】
締結体は締結操作用端部を有し、その締結体による非脚用固定体と保持体の締結は、締結操作用端部が前記非脚用固定体の上側から操作され得る状態で行われているので、組み立て作業が、たとえ設置現場における作業であっても容易である。
【００１６】
(4) 上記非脚用固定体の何れか１以上が、その上側に別の被支持部材を支持しており、その被支持部材によって、上記締結体の締結操作用端部を操作して締結解除を行うことができない状態となっている上記(3)記載の支持装置。
【００１７】
何れかの非脚用固定体が、その上側に別の被支持部材を支持しており、その被支持部材によって、締結体の締結操作用端部を操作して締結解除を行うことができない状態となっているため、非脚用固定体と保持体の締結が悪戯等の故意に又は何らかの原因により解除されることが効果的に防がれる。
【００１８】
(5) 横架状材が、一定の水平方向の直線に沿うものである上記(1)乃至(4)の何れか１項に記載の支持装置。
【００１９】
(6) ベンチを構成する上記(1)乃至(5)の何れか１項に記載の支持装置。
【発明の効果】
【００２０】
本発明の支持装置は、締結体による脚用固定体と脚部の締結が、締結操作用端部が脚用固定体の上側から操作され得る状態で行われているので、組み立て作業が容易であり、分解状態で効率的に運搬して設置現場において組み立てを行うのにも適する。尤も、本発明の支持装置は分解状態で運搬することを前提とするものではない。
【図面の簡単な説明】
【００２１】
【図１】ベンチの一部分解斜視図である。
【図２】脚部の要部拡大斜視図である。
【図３】座部支持部が取り付けられていない状態の脚部、横架状材及び脚用固定体の要部拡大斜視図である。
【図４】非脚用固定体が取り付けられていない状態の保持体及び横架状材の要部拡大斜視図である。
【図５】座部支持部が取り付けられていない状態の保持体、横架状材及び非脚用固定体の要部拡大斜視図である。
【図６】一部の座面クッション及び背面クッションを取り外した状態のベンチの斜視図である。
【図７】別のベンチの一部分解斜視図である。
【発明を実施するための形態】
【００２２】
[1] 本発明の実施の形態を、図面を参照しつつ説明する。
【００２３】
図面は本発明の支持装置の実施の形態の例としてのベンチについてのものである。
【００２４】
このベンチは、左右一対の脚部Ａ、１本の横架状材Ｂ、左右一対の脚用固定体Ｃ、４つの非脚用固定体Ｄ、背もたれ部Ｓ２と一体をなす３つの座部支持部Ｓ（被支持部材）を有する。
【００２５】
(1) 横架状材Ｂは、角パイプ鋼管の両端が閉塞されてなるものであり、一定の水平方向の直線に沿った形状である。
【００２６】
(2) 横架状材Ｂは、両端において、脚部Ａにより一定高さに支承されている。
【００２７】
各脚部Ａは、下方に向かって前後方向に拡開する略逆Ｖ字状をなし、中央部（すなわち上部）に支承部Ａ１を有する。支承部Ａ１は、横架状材Ｂの端部のうち下半部が嵌合して横架状材Ｂを下部及び両側部において支持及び保持する上方開口の嵌合凹部であり、左右側にそれぞれ開放している。
【００２８】
脚部Ａの支承部Ａ１を構成する嵌合凹部は、下方に位置する底部中央に上向きの凸部Ａ２を有し、両側開放部の各やや内側に両内壁面部及び底部にわたる方形断面溝部Ａ３を有する。
【００２９】
(3) 脚用固定体Ｃは、水平状部Ｃ１と後部から立ち上がる立上部Ｃ２を有する略Ｌ字形状をなし、水平状部Ｃ１の前後方向中央部に、横架状材Ｂの端部のうち上半部が嵌合して横架状材Ｂを上部及び両側部において支持又は保持する下方開口の嵌合凹部Ｃ３を有し、その嵌合凹部Ｃ３は左右側にそれぞれ開放し、横架状材Ｂの端部の上半部に外嵌している。
【００３０】
(4) 脚用固定体Ｃは、横架状材Ｂの前方位置及び後方位置のそれぞれにおいてボルトＴ（締結体）により脚部Ａと締結されており、これによって、横架状材Ｂは脚部Ａと脚用固定体Ｃにより上下及び前後両側部において保持されている。
【００３１】
ボルトＴは、締結及び締結解除の操作を行うための頭部Ｔ１（締結操作用端部）を有する。脚用固定体Ｃにおける嵌合凹部Ｃ３の前後壁部にそれぞれ設けられた上下貫通の連結用孔部Ｃ４に対し、それぞれボルトＴを頭部Ｔ１を上にして上側から挿入し、脚部Ａにおける支承部Ａ１を構成する嵌合凹部の前後壁部にそれぞれ設けられた上方開口の上下方向の雌ネジ孔部Ａ４に、各ボルトＴの先端側（すなわち下方側）に有する雄ネジ部を螺合させて締結する。脚用固定体Ｃの連結用孔部Ｃ４は、上端よりもやや下方に拡径位置を有し、拡径位置よりも下方はボルトＴの軸部よりもやや径が大きくボルトＴの頭部Ｔ１よりも径が小さい。
【００３２】
ボルトＴにより脚用固定体Ｃと脚部Ａが締結された状態において、ボルトＴの頭部Ｔ１は、連結用孔部Ｃ４の上端よりもやや下方の拡径位置に位置して連結用孔部Ｃ４内に収まると共に、そのボルトＴの頭部Ｔ１について、脚用固定体Ｃの上側から締結解除及び締結の操作をなし得る。
【００３３】
(5) 非脚用固定体Ｄは、横架状材Ｂのうち脚部Ａが位置する箇所以外の４箇所の上側部に位置し、それぞれの箇所の横架状材Ｂの下側に保持体Ｅが位置し、それぞれの箇所において非脚用固定体Ｄが保持体ＥとボルトＴにより締結されることによって、横架状材Ｂに対し非脚用固定体Ｄと保持体Ｅが上下及び両側部において保持されている。
【００３４】
この例における非脚用固定体Ｄは脚用固定体Ｃと同一であり、保持体Ｅとの締結に用いるボルトＴも脚用固定体Ｃと脚部Ａの締結に用いるものと同一である。非脚用固定体Ｄの嵌合凹部Ｄ３は、脚用固定体Ｃの嵌合凹部Ｃ３と同様に横架状材Ｂの所要箇所に外嵌している。
【００３５】
保持体Ｅは、略Ｕ字状をなし、上側に、横架状材Ｂの所要箇所のうち下半部が嵌合して横架状材Ｂを下部及び両側部において支持又は保持する上方開口の嵌合凹部Ｅ１を有し、その嵌合凹部Ｅ１は左右側にそれぞれ開放し、横架状材Ｂの下半部に外嵌している。
【００３６】
保持体Ｅの嵌合凹部Ｅ１は、脚部Ａの支承部Ａ１を構成する嵌合凹部と同様であり、同様に横架状材Ｂに対し位置決めされている。
【００３７】
非脚用固定体Ｄにおける嵌合凹部Ｄ３の前後壁部にそれぞれ設けられた上下貫通の連結用孔部Ｄ４に対し、それぞれボルトＴを頭部Ｔ１を上にして上側から挿入し、保持体Ｅにおける嵌合凹部Ｅ１の前後壁部にそれぞれ設けられた上方開口の上下方向の雌ネジ孔部Ｅ４に、各ボルトＴの雄ネジ部を螺合させて締結する。
【００３８】
ボルトＴにより非脚用固定体Ｄと保持体Ｅが締結された状態において、ボルトＴの頭部Ｔ１は、連結用孔部Ｄ４の上端よりもやや下方の拡径位置に位置して連結用孔部Ｄ４内に収まると共に、そのボルトＴの頭部Ｔ１について、非脚用固定体Ｄの上側から締結解除操作又は締結操作を行い得る。
【００３９】
(6) 横架状材Ｂの右端部に位置する脚用固定体Ｃとその左側に隣接する非脚用固定体Ｄは、その上側に、背もたれ部Ｓ２と一体をなす座部支持部Ｓが固定支持されている。すなわち、何れも略Ｌ字形状をなす脚用固定体Ｃ及び非脚用固定体Ｄのそれぞれにおける水平状部Ｃ１・Ｄ１上に座部支持部Ｓの下面の左右側部が支持され、脚用固定体Ｃ及び非脚用固定体Ｄのそれぞれにおける立上部Ｃ２・Ｄ２の前側に背もたれ部Ｓ２の後面の左右側部が支持された状態で、各水平状部Ｃ１・Ｄ１の前端部と座部支持部Ｓが下方からネジＲで固定され、各立上部Ｃ２・Ｄ２の上端部と背もたれ部Ｓ２が後方からネジＲで固定されている。このように脚用固定体Ｃ及び非脚用固定体Ｄの各水平状部Ｃ１・Ｄ１上に固定支持された座部支持部Ｓによって、ボルトＴの頭部Ｔ１を操作して締結解除を行うことができない状態となっている。
【００４０】
横架状材Ｂの左端部に位置する脚用固定体Ｃとその右側に隣接する非脚用固定体Ｄ、及び、横架状材Ｂの中央部に位置する一対の非脚用固定体Ｄも、同様に、それぞれの上側に、背もたれ部Ｓ２と一体をなす座部支持部Ｓが固定支持されている。
【００４１】
それぞれの座部支持部Ｓ上には座面クッションＭが保持され、それぞれ背もたれ部Ｓ２の前面部には背面クッションＮが保持されている。図６に示されるように、座面クッションＭ及び背面クッションＮは、それぞれ、ネジＷにより座部支持部Ｓ及び背もたれ部Ｓ２に対し着脱し得るものとすることができ、損傷等或いはデザイン変更等に応じて交換することができる。
【００４２】
(7) 図７に示すベンチにおいては、予め、脚用固定体Ｃに、背面クッションＮが保持された背もたれ部Ｓ２と一体をなす座部支持部Ｓの一方の側部がネジＲで固定され、座部支持部Ｓの他方の側部には非脚用固定体ＤがネジＲで固定され、脚用固定体Ｃの両連結用孔部Ｃ４及び非脚用固定体Ｄの両連結用孔部Ｄ４と、座部支持部Ｓに形成された各連結用孔部Ｓ３が同心状をなす。
【００４３】
このように脚用固定体Ｃが座部支持部Ｓ及び非脚用固定体Ｄと一体状をなす状態で、各連結用孔部Ｓ３に対しボルトＴを頭部Ｔ１を上にして上側から挿入し、脚用固定体Ｃの両連結用孔部Ｃ４及び非脚用固定体Ｄの両連結用孔部Ｄ４をそれぞれ通じて脚部Ａの両雌ネジ孔部Ａ４及び保持体Ｅの両雌ネジ孔部Ｅ４に各ボルトＴの雄ネジ部を螺合させて締結する。これにより、ボルトＴの頭部Ｔ１について、座部支持部Ｓの上側から締結解除操作又は締結操作を行い得る状態で、脚部Ａと脚用固定体Ｃにより横架状材Ｂは上下及び前後両側部において保持され、横架状材Ｂに対し非脚用固定体Ｄと保持体Ｅが上下及び両側部において保持される。
【００４４】
更に、座部支持部Ｓ上に座面クッションＭをネジＷにより取り付けることにより、ボルトＴの頭部Ｔ１が座面クッションＭに覆われ、ボルトＴの頭部Ｔ１を操作して締結解除を行うことができない状態となる。
【００４５】
[2] 本発明の実施の形態を、上記以外の形態を含めて更に説明する。
【００４６】
本発明の支持装置は、座部及び必要応じ肘掛け部や荷物置き部等を被支持部として支持するベンチの他、様々な被支持を支持する装置を構成し得る。
【００４７】
本発明の支持装置は、１又は２以上の脚部と、横架状材と、１又は２以上の脚用固定体を備えてなる。
【００４８】
(1) 横架状材
【００４９】
横架状材の材料としては、脚部により安定的に支承され、他の部材等を安定的に支持する上で十分な強度及び剛性を有するものとすることができ、例えば、角パイプや丸パイプ等の各種鋼管若しくはその他の材料からなる管材、Ｈ形鋼等の形鋼若しくはその他の材料からなる一定断面形状材を挙げることができる。横架状材は、一体をなすものに限らず、例えば２本の鋼管が並列したものとすることもできる。
【００５０】
横架状材の形状は、一定の水平方向の直線に沿った形状が一般的であるが、例えば、水平曲線状、水平波形状、水平折れ線状、水平円環状若しくはその他の平面視形状の水平環状とすることや、上下に傾斜又は屈曲するものとすることもできる。
【００５１】
(2) 脚部
【００５２】
脚部は、横架状材を、ベンチ又はその他の用途に応じた所要の高さに支承するためのものであり、横架状材を安定的に支承するために十分な強度及び剛性を有するものとすることができる。
【００５３】
脚部は、横架状材を安定的に支承するために必要な位置（通常は複数位置）に設けるものとすることができる。例えば、水平方向の直線に沿った横架状材の両端部及び必要であればそれに加えて１又は２以上の中間部にそれぞれ脚部を設けたものとすることができる。なお、横架状材の一部が別の構造体等により支持されており、横架状材の他の１又は２以上の位置を脚部により支承するものとすることもできる。
【００５４】
脚部の脚形状は、逆Ｖ字状、逆Ｕ字状、逆Ｔ字状、逆Ｙ字状、又はその他の各種形状を採用し得、特に限定されるものではない。
【００５５】
脚部の上側（上端部に限らない）に支承部を有する。支承部は、横架状材の所要箇所を少なくとも上向きに支承し得るものであり、例えば、横架状材の所要箇所のうち下端部を含む部分（例えば下部、下端から上下中間位置、若しくは下端から上部）又は全部が嵌合して横架状材を下部及び両側部において支持又は保持し得る上方開口の嵌合凹部とすること、又は、横架状材の所要箇所の下面部を支持するものとすることができるが、これに限るものではない。
【００５６】
脚部の支承部は、横架状材の所要箇所との間で凹部と凸部による嵌合等により両者の位置決めが可能なものとすることが好ましい。このような位置決めは、例えば、脚部の支承部と横架状材の所要箇所のうち、一方に上下方向の１又は２以上の突起部を設けて他方にその突起部にそれぞれ嵌合する上下方向の凹部を設けること、一方に上下方向の１又は２以上の溝部を設けて他方にその溝部にそれぞれ嵌合する上下方向の突条部を設けること、突起部と凹部並びに溝部と突条部の双方を設けることにより行い得るが、これらに限るものではない。
【００５７】
(3) 脚用固定体
【００５８】
(3-1) 脚部の支承部により支承された横架状材の所要箇所の上側部に脚用固定体が位置しており、その脚用固定体が脚部と締結体により締結されることによって、横架状材は脚部と脚用固定体により（例えば上下および／または両側部において）保持されている。脚用固定体は、このような機能を発揮する上で十分な強度及び剛性を有するものとすることができる。脚部と脚用固定体は１対１の関係とすることができるが、これに限らず、例えば、２対１やその他の組み合わせとすることもできる。
【００５９】
(3-2) 脚用固定体は、例えば、横架状材の所要箇所のうち上端部を含む部分（例えば上部、上端から上下中間位置、若しくは上端から下部）又は全部が嵌合して横架状材を上部及び両側部において支持又は保持し得る下方開口の嵌合凹部を有し、その嵌合凹部において横架状材の所要箇所に外嵌するものとすること、又は、横架状材の所要箇所の上面部に接するものとすることができるが、これに限るものではない。
【００６０】
脚用固定体は、脚部及び横架状材の所要箇所の何れか又は両方との間で凹部と凸部による嵌合等により両者の位置決めが可能なものとすることができる。このような位置決めは、例えば、一方に上下方向の１又は２以上の突起部を設けて他方にその突起部にそれぞれ嵌合する上下方向の凹部を設けること、一方に上下方向の１又は２以上の溝部を設けて他方にその溝部にそれぞれ嵌合する上下方向の突条部を設けること、突起部と凹部並びに溝部と突条部の双方を設けることにより行い得るが、これらに限るものではない。
【００６１】
(3-3) 脚用固定体は、ボルト等の締結体により脚部と締結されており、これによって、横架状材は脚部と脚用固定体により例えば上下および／または両側部［一般的には、横架状材の軸線方向に対しほぼ水平方向に直交する両側］において）保持されている。
【００６２】
(3-4) 締結体は、締結及び締結解除の操作を行うための締結操作用端部（例えばボルトの頭部）を有し、その締結体による脚用固定体と脚部の締結は、締結操作用端部が脚用固定体の上側から操作され得る状態（例えば締結操作用端部が脚用固定体の上側に露出している状態）で行われる。締結体は、横架状材にかからない（例えば横架状材を貫通しない）ものとすることができるが、必ずしもこれに限るものではない。
【００６３】
例えば、脚用固定体を上下（必ずしも垂直であることを要しない）に貫通する連結用孔部を通じてボルト等の締結体が脚用固定体から脚部に達し、脚部に設けられた雌ネジ部等の被締結部に螺合等することにより脚用固定体と脚部を締結するものとすることができる。
【００６４】
締結状態における締結体の締結操作用端部（例えばボルトの頭部）は、例えば、前記連結用孔部の上端部付近（好ましくは連結用孔部内に収まる位置）に位置するものとすることができる。
【００６５】
ボルト等のネジを用いた締結体の場合、上方位置に締結操作用端部が位置することにより、下方位置に位置する場合に比し、振動と重力等による締結の緩みの発生が可及的に防がれ得る。
【００６６】
(3-5) 脚用固定体は、（必要に応じ他の脚用固定体と共に）その上側に別の被支持部材（例えば座板部若しくは座部支持部、背もたれ部と一体をなす若しくは結合した座板部若しくは座部支持部、或いは、肘掛け部や荷物置き部等）を支持するものとすることができる。その被支持部材は、脚部及び横架状材の何れにも結合しないものとすることができる。なお、本明細書中、座板部及び背もたれ部は、それぞれ座面クッション及び背面クッションを有するものであってもよい。
【００６７】
脚用固定体の形状は、例えば、棒状若しくは細板状、板状、枠状とすることができ、その上側に別の被支持部材を支持する場合は、被支持部材の形状等に適合するように例えばＬ字状等に屈曲した形状とすることができる。
【００６８】
被支持部材は、他の部材を着脱可能なものであってもよい。例えば、座部支持部及び背もたれ部の両方又は何れかにそれぞれ座面クッション及び背面クッションを着脱し得るなものとするができる。
【００６９】
被支持部材が脚用固定体に支持されている場合、その被支持部材によって（例えば被支持部材に覆われることによって）、締結体の締結操作用端部を操作して締結解除を行うことができない状態となるものとすることが好ましい。
【００７０】
(3-6) 脚用固定体は、肘掛け部や荷物置き部等、或いは、座板部若しくは座部支持部、背もたれ部と一体をなす座板部若しくは座部支持部と一体状であるものとすることもできる。この場合の締結体による脚用固定体と脚部の締結は、締結操作用端部が脚用固定体における背もたれ部と一体をなす座部支持部等の上側から操作され得る状態で行われるものとすることができる。その場合、そのような座部支持部等に座面クッション等が更に支持され、それによって、締結体の締結操作用端部を操作して締結解除を行うことができない状態となるものとすることが好ましい。
【００７１】
(4) 非脚用固定体
【００７２】
(4-1) 横架状材のうち脚部が位置する箇所以外の所要箇所の上側部に非脚用固定体が位置し、前記所要箇所の下側に保持体が位置し、前記非脚用固定体が前記保持体と締結体により締結されることによって、前記横架状材に対し前記非脚用固定体と保持体が（例えば上下および／または両側部において）保持されている。非脚用固定体は、このような機能を発揮する上で十分な強度及び剛性を有するものとすることができる。非脚用固定体は、脚用固定体と連結され又は一体化したものとすることもできる。
【００７３】
(4-2) 非脚用固定体は、例えば、横架状材の所要箇所のうち上端部を含む部分（例えば上部、上端から上下中間位置、若しくは上端から下部）又は全部が嵌合して横架状材を上部及び両側部において支持又は保持し得る下方開口の嵌合凹部を有し、その嵌合凹部において横架状材の所要箇所に外嵌するものとすること、又は、横架状材の所要箇所の上面部に接するものとすることができるが、これに限るものではない。
【００７４】
非脚用固定体は、横架状材の所要箇所との間で凹部と凸部による嵌合等により両者の位置決めが可能なものとすることができる。このような位置決めは、例えば、一方に上下方向の１又は２以上の突起部を設けて他方にその突起部にそれぞれ嵌合する上下方向の凹部を設けること、一方に上下方向の１又は２以上の溝部を設けて他方にその溝部にそれぞれ嵌合する上下方向の突条部を設けること、突起部と凹部並びに溝部と突条部の双方を設けることにより行い得るが、これらに限るものではない。
【００７５】
(4-3) 非脚用固定体は、ボルト等の締結体により保持体と締結されており、これによって、横架状材（の例えば上下および／または両側部［一般的には、横架状材の軸線方向に対しほぼ水平方向に直交する両側部］）に対し非脚用固定体と保持体が共に保持されている。
【００７６】
(4-4) 締結体は、締結及び締結解除の操作を行うための締結操作用端部（例えばボルトの頭部）を有し、その締結体による非脚用固定体と保持体の締結は、締結操作用端部が非脚用固定体の上側から操作し得る状態（例えば締結操作用端部が非脚用固定体の上側に露出している状態）で行われる。締結体は、横架状材にかからない（例えば横架状材を貫通しない）ものとすることができるが、必ずしもこれに限るものではない。
【００７７】
例えば、非脚用固定体を上下（必ずしも垂直であることを要しない）に貫通する連結用孔部を通じてボルト等の締結体が非脚用固定体から保持体に達し、保持体に設けられた雌ネジ部等の被締結部に螺合等することにより非脚用固定体と保持体を締結するものとすることができる。
【００７８】
締結状態における締結体の締結操作用端部（例えばボルトの頭部）は、例えば、前記連結用孔部の上端部付近に位置するものとすることができる。
【００７９】
ボルト等のネジを用いた締結体の場合、上方位置に締結操作用端部が位置することにより、下方位置に位置する場合に比し、振動と重力等による締結の緩みの発生が可及的に防がれ得る。
【００８０】
(4-5) 非脚用固定体は、（必要に応じ他の脚用固定体又は非脚用固定体と共に）その上側に別の被支持部材（例えば座板部若しくは座部支持部、背もたれ部と一体をなす若しくは結合した座板部若しくは座部支持部、或いは、肘掛け部や荷物置き部等）を支持するものとすることができる。その被支持部材は、保持体及び横架状材の何れにも結合しないものとすることができる。
【００８１】
非脚用固定体の形状は、例えば、棒状若しくは細板状、板状、枠状とすることができ、その上側に別の被支持部材を支持する場合は、被支持部材の形状等に適合するように例えばＬ字状等に屈曲した形状とすることができる。
【００８２】
被支持部材が非脚用固定体に支持されている場合、その被支持部材によって（例えば被支持部材に覆われることによって）、締結体の締結操作用端部を操作して締結解除を行うことができない状態となるものとすることが好ましい。
【００８３】
(4-6) 非脚用固定体は、肘掛け部や荷物置き部等、或いは、座板部若しくは座部支持部、背もたれ部と一体をなす座板部若しくは座部支持部と一体状であるものとすることもできる。この場合の締結体による非脚用固定体と保持体の締結は、締結操作用端部が非脚用固定体における背もたれ部と一体をなす座部支持部等の上側から操作され得る状態で行われるものとすることができる。その場合、そのような座部支持部等に座面クッション等が更に支持され、それによって、締結体の締結操作用端部を操作して締結解除を行うことができない状態となるものとすることが好ましい。
【００８４】
(4-7) 非脚用固定体と脚用固定体は同一部材であってもよい。
【００８５】
(5) 保持体
【００８６】
保持体は、横架状材の上下及び両側部（の例えば上下および／または両側部）に対し非脚用固定体と共に保持されるためのものであり、そのために十分な強度及び剛性を有するものとすることができる。
【００８７】
保持体は、横架状材のうち上側部に非脚用固定体が位置する箇所の下側に位置する。
【００８８】
保持体は、例えば、横架状材の所要箇所のうち下端部を含む部分（例えば下部、下端から上下中間位置、若しくは下端から上部）又は全部が嵌合して横架状材を（例えば上下および／または両側部において）支持又は保持し得る上方開口の嵌合凹部を有し、その嵌合凹部において横架状材の所要箇所に外嵌するものとすること、又は、横架状材の所要箇所の下面部に接するものとすることができるが、これに限るものではない。
【００８９】
保持体は、非脚用固定体及び横架状材の所要箇所の何れか又は両方との間で凹部と凸部による嵌合等により両者の位置決めが可能なものとすることができる。このような位置決めは、例えば、一方に上下方向の１又は２以上の突起部を設けて他方にその突起部にそれぞれ嵌合する上下方向の凹部を設けること、一方に上下方向の１又は２以上の溝部を設けて他方にその溝部にそれぞれ嵌合する上下方向の突条部を設けること、突起部と凹部並びに溝部と突条部の双方を設けることにより行い得るが、これらに限るものではない。
【符号の説明】
【００９０】
Ａ      脚部
Ａ１    支承部
Ａ２    凸部
Ａ３    方形断面溝部
Ａ４    雌ネジ孔部
Ｂ      横架状材
Ｂ１    嵌合孔
Ｃ      脚用固定体
Ｃ１    水平状部
Ｃ２    立上部
Ｃ３    嵌合凹部
Ｃ４    連結用孔部
Ｄ      非脚用固定体
Ｄ１    水平状部
Ｄ２    立上部
Ｄ３    嵌合凹部
Ｄ４    連結用孔部
Ｅ      保持体
Ｅ１    嵌合凹部
Ｅ２    凸部
Ｅ３    方形断面溝部
Ｅ４    雌ネジ孔部
Ｍ      座面クッション
Ｎ      背面クッション
Ｒ      ネジ
Ｓ      座部支持部
Ｓ２    背もたれ部
Ｓ３    連結用孔部
Ｔ      ボルト
Ｔ１    頭部
Ｗ      ネジ
【図１】
2018139796.tif 000003
【図２】
2018139796.tif 000004
【図３】
2018139796.tif 000005
【図４】
2018139796.tif 000006
【図５】
2018139796.tif 000007
【図６】
2018139796.tif 000008
【図７】
2018139796.tif 000009
【手続補正書】
【提出日】平成29年2月28日(2017.2.28)
【手続補正１】
【補正対象書類名】明細書
【補正対象項目名】００８６
【補正方法】変更
【補正の内容】
【００８６】
保持体は、横架状材（の例えば上下および／または両側部）に対し非脚用固定体と共に保持されるためのものであり、そのために十分な強度及び剛性を有するものとすることができる。